【手続補正書】
【提出日】平成20年9月29日(2008.9.29)
【手続補正１】
【補正対象書類名】特許請求の範囲
【補正対象項目名】全文
【補正方法】変更
【補正の内容】
【特許請求の範囲】
【請求項１】
第１の電極および第２の電極を有する第１基板と、前記第１基板に対向配置されてなる第２基板と、前記第１基板と前記第２基板との間に挟持された液晶と、有し、前記第１電極と前記第２電極との間に生じる電界によって前記液晶が駆動される液晶パネルと、
前記液晶パネルの前記第１基板側に設けた第１の偏光板と、
前記液晶パネルの前記第２基板側に設けた第２の偏光板と、
前記液晶パネルと前記第１の偏光板との間、又は前記液晶パネルと前記第２の偏光板との間に配置された位相差板と、を備え、
前記位相差板は、遅相軸が、前記第１の偏光板、および第２の偏光板のうち、前記液晶パネルを基準として同じ側の偏光板の透過軸に平行となるように、および前記液晶の初期配向の方向に平行となるように配置されており、
前記位相差板の位相差Δｎｄ（ｎｍ）と、下記式（１）で定義されるＮｚ値とを、点（Ｎｚ，Δｎｄ）として示した場合に、前記点（Ｎｚ，Δｎｄ）が、点Ａ１（０．３，６８）、点Ａ２（０．５，１７５）、点Ａ３（０．７，２１５）、点Ａ４（０．７，３３２）、点Ａ５（０．５，３６５）、点Ａ６（０．３，２３０）に囲まれた範囲内に設定されていることを特徴とする液晶装置。
Ｎｚ＝（ｎｘ−ｎｚ）／｜ｎｘ−ｎｙ｜  …（１）
【請求項２】
第１の電極および第２の電極を有する第１基板と、前記第１基板に対向配置されてなる第２基板と、前記第１基板と前記第２基板との間に挟持された液晶と、有し、前記第１電極と前記第２電極との間に生じる電界によって前記液晶が駆動される液晶パネルと、
前記液晶パネルの前記第１基板側に設けた第１の偏光板と、
前記液晶パネルの前記第２基板側に設けた第２の偏光板と、
前記液晶パネルと前記第１の偏光板との間、又は前記液晶パネルと前記第２の偏光板との間に配置された位相差板と、を備え、
前記位相差板は、遅相軸が、前記第１の偏光板および第２の偏光板のうち前記液晶パネルを基準として同じ側の偏光板の透過軸と直交し、および前記液晶の初期の配向方向と直交するよう配置されており、
前記位相差板の位相差Δｎｄ（ｎｍ）と、下記式（１）で定義されるＮｚ値とを、点（Ｎｚ，Δｎｄ）として示した場合に、前記点（Ｎｚ，Δｎｄ）が、点Ｂ１（０．５，１７５）、点Ｂ２（０．７，２０９）、点Ｂ３（０．７，３３７）、点Ｂ４（０．５，３６３）に囲まれた範囲内に設定されていることを特徴とする液晶装置。
Ｎｚ＝（ｎｘ−ｎｚ）／｜ｎｘ−ｎｙ｜  …（１）
【請求項３】
第１の電極および第２の電極を有する第１基板と、前記第１基板に対向配置されてなる第２基板と、前記第１基板と前記第２基板との間に挟持された液晶と、有し、前記第１電極と前記第２電極との間に生じる電界によって前記液晶が駆動される液晶パネルと、
前記液晶パネルの前記第１基板側に設けた第１の偏光板と、
前記液晶パネルの前記第２基板側に設けた第２の偏光板と、
前記液晶パネルと前記第１の偏光板との間、又は前記液晶パネルと前記第２の偏光板との間に配置された第１の位相差板と、
前記液晶パネルと前記第１の偏光板との間に設けた第２の位相差板と、
前記液晶パネルと前記第２の偏光板との間に配置された第３の位相差板と、を備え、
前記第１の位相差板は、遅相軸が、前記第１の偏光板および第２の偏光板のうち前記液晶パネルを基準として同じ側の偏光板の透過軸と平行になるように、および前記液晶の初期配向の方向と平行になるように配置されており、
前記位相差板の位相差Δｎｄ（ｎｍ）と、下記式（１）で定義されるＮｚ値とを、点（Ｎｚ，Δｎｄ）として示した場合に、前記点（Ｎｚ，Δｎｄ）が、点Ｃ１（０，６８）、点Ｃ２（０．３，７１）、点Ｃ３（０．５，１０４）、点Ｃ４（０．５，１８４）、点Ｃ５（０．３，２２７）、点Ｃ６（０，１６２）に囲まれた範囲内に設定されていることを特徴とする液晶装置。
Ｎｚ＝（ｎｘ−ｎｚ）／｜ｎｘ−ｎｙ｜  …（１）
【請求項４】
第１の電極および第２の電極を有する第１基板と、前記第１基板に対向配置されてなる第２基板と、前記第１基板と前記第２基板との間に挟持された液晶と、有し、前記第１電極と前記第２電極との間に生じる電界によって前記液晶が駆動される液晶パネルと、
前記液晶パネルの前記第１基板側に設けた第１の偏光板と、
前記液晶パネルの前記第２基板側に設けた第２の偏光板と、
前記液晶パネルと前記第１の偏光板との間、又は前記液晶パネルと前記第２の偏光板との間に配置された第１の位相差板と、
前記液晶パネルと前記第１の偏光板との間に設けた第２の位相差板と、
前記液晶パネルと前記第２の偏光板との間に配置された第３の位相差板と、を備え、
前記第１の位相差板は、遅相軸が、前記第１の偏光板および第２の偏光板のうち前記液晶パネルを基準として同じ側の偏光板の透過軸と直交し、および前記液晶の初期の配向方向と直交するよう配置されており、
前記位相差板の位相差Δｎｄ（ｎｍ）と、下記式（１）で定義されるＮｚ値とを、点（Ｎｚ，Δｎｄ）として示した場合に、前記点（Ｎｚ，Δｎｄ）が、点Ｄ１（０．５，３８６）、点Ｄ２（０．７，３２２）、点Ｄ３（１．０，４００）、点Ｄ４（０．７，４５０）、点Ｄ５（０．５，４００）に囲まれた範囲内に設定されていることを特徴とする液晶装置。
Ｎｚ＝（ｎｘ−ｎｚ）／｜ｎｘ−ｎｙ｜  …（１）
【請求項５】
１つのサブ画素領域内に反射表示を行う反射表示領域と透過表示を行う透過表示領域とが設けられていることを特徴とする請求項１から４のいずれか１項に記載の液晶装置。
【請求項６】
前記位相差板又は第１の位相差板が、前記液晶パネルの表示面側に配置されていることを特徴とする請求項５に記載の液晶装置。
【請求項７】
請求項１から６のいずれか１項に記載の液晶装置を備えたことを特徴とする電子機器。
【手続補正２】
【補正対象書類名】明細書
【補正対象項目名】０００５
【補正方法】変更
【補正の内容】
【０００５】
本発明の液晶装置は、上記課題を解決するために、第１の電極および第２の電極を有する第１基板と、前記第１基板に対向配置されてなる第２基板と、前記第１基板と前記第２基板との間に挟持された液晶と、有し、前記第１電極と前記第２電極との間に生じる電界によって前記液晶が駆動される液晶パネルと、前記液晶パネルの前記第１基板側に設けた第１の偏光板と、前記液晶パネルの前記第２基板側に設けた第２の偏光板と、前記液晶パネルと前記第１の偏光板との間、又は前記液晶パネルと前記第２の偏光板との間に配置された位相差板と、を備え、前記位相差板は、遅相軸が、前記第１の偏光板、および第２の偏光板のうち、前記液晶パネルを基準として同じ側の偏光板の透過軸に平行となるように、および前記液晶の初期配向の方向に平行となるように配置されており、前記位相差板の位相差Δｎｄ（ｎｍ）と、下記式（１）で定義されるＮｚ値とを、点（Ｎｚ，Δｎｄ）として示した場合に、前記点（Ｎｚ，Δｎｄ）が、点Ａ１（０．３，６８）、点Ａ２（０．５，１７５）、点Ａ３（０．７，２１５）、点Ａ４（０．７，３３２）、点Ａ５（０．５，３６５）、点Ａ６（０．３，２３０）に囲まれた範囲内に設定されていることを特徴とする。
【手続補正３】
【補正対象書類名】明細書
【補正対象項目名】０００７
【補正方法】変更
【補正の内容】
【０００７】
また本発明の液晶装置は、第１の電極および第２の電極を有する第１基板と、前記第１基板に対向配置されてなる第２基板と、前記第１基板と前記第２基板との間に挟持された液晶と、有し、前記第１電極と前記第２電極との間に生じる電界によって前記液晶が駆動される液晶パネルと、前記液晶パネルの前記第１基板側に設けた第１の偏光板と、前記液晶パネルの前記第２基板側に設けた第２の偏光板と、前記液晶パネルと前記第１の偏光板との間、又は前記液晶パネルと前記第２の偏光板との間に配置された位相差板と、を備え、前記位相差板は、遅相軸が、前記第１の偏光板および第２の偏光板のうち前記液晶パネルを基準として同じ側の偏光板の透過軸と直交し、および前記液晶の初期の配向方向と直交するよう配置されており、前記位相差板の位相差Δｎｄ（ｎｍ）と、式（１）で定義されるＮｚ値とを、点（Ｎｚ，Δｎｄ）として示した場合に、前記点（Ｎｚ，Δｎｄ）が、点Ｂ１（０．５，１７５）、点Ｂ２（０．７，２０９）、点Ｂ３（０．７，３３７）、点Ｂ４（０．５，３６３）に囲まれた範囲内に設定されていることを特徴とする。
【手続補正４】
【補正対象書類名】明細書
【補正対象項目名】０００８
【補正方法】変更
【補正の内容】
【０００８】
また本発明の液晶装置は、第１の電極および第２の電極を有する第１基板と、前記第１基板に対向配置されてなる第２基板と、前記第１基板と前記第２基板との間に挟持された液晶と、有し、前記第１電極と前記第２電極との間に生じる電界によって前記液晶が駆動される液晶パネルと、前記液晶パネルの前記第１基板側に設けた第１の偏光板と、前記液晶パネルの前記第２基板側に設けた第２の偏光板と、前記液晶パネルと前記第１の偏光板との間、又は前記液晶パネルと前記第２の偏光板との間に配置された第１の位相差板と、前記液晶パネルと前記第１の偏光板との間に設けた第２の位相差板と、前記液晶パネルと前記第２の偏光板との間に配置された第３の位相差板と、を備え、前記第１の位相差板は、遅相軸が、前記第１の偏光板および第２の偏光板のうち前記液晶パネルを基準として同じ側の偏光板の透過軸と平行となるように、および前記液晶の初期配向の方向と平行になるように配置されており、前記位相差板の位相差Δｎｄ（ｎｍ）と、式（１）で定義されるＮｚ値とを、点（Ｎｚ，Δｎｄ）として示した場合に、前記点（Ｎｚ，Δｎｄ）が、点Ｃ１（０，６８）、点Ｃ２（０．３，７１）、点Ｃ３（０．５，１０４）、点Ｃ４（０．５，１８４）、点Ｃ５（０．３，２２７）、点Ｃ６（０，１６２）に囲まれた範囲内に設定されていることを特徴とする。
【手続補正５】
【補正対象書類名】明細書
【補正対象項目名】０００９
【補正方法】変更
【補正の内容】
【０００９】
また本発明の液晶装置は、第１の電極および第２の電極を有する第１基板と、前記第１基板に対向配置されてなる第２基板と、前記第１基板と前記第２基板との間に挟持された液晶と、有し、前記第１電極と前記第２電極との間に生じる電界によって前記液晶が駆動される液晶パネルと、前記液晶パネルの前記第１基板側に設けた第１の偏光板と、前記液晶パネルの前記第２基板側に設けた第２の偏光板と、前記液晶パネルと前記第１の偏光板との間、又は前記液晶パネルと前記第２の偏光板との間に配置された第１の位相差板と、前記液晶パネルと前記第１の偏光板との間に設けた第２の位相差板と、前記液晶パネルと前記第２の偏光板との間に配置された第３の位相差板と、を備え、前記第１の位相差板は、遅相軸が、前記第１の偏光板および第２の偏光板のうち前記液晶パネルを基準として同じ側の偏光板の透過軸と直交し、および前記液晶の初期の配向方向と直交するよう配置されており、前記位相差板の位相差Δｎｄ（ｎｍ）と、式（１）で定義されるＮｚ値とを、点（Ｎｚ，Δｎｄ）として示した場合に、前記点（Ｎｚ，Δｎｄ）が、点Ｄ１（０．５，３８６）、点Ｄ２（０．７，３２２）、点Ｄ３（１．０，４００）、点Ｄ４（０．７，４５０）、点Ｄ５（０．５，４００）に囲まれた範囲内に設定されていることを特徴とする。